(57)【特許請求の範囲】
【請求項１】
オリフィスを収めてある炉体の炉室に掃除用弾性ピンを案内する案内孔付ガイド筒を挿入し、この案内孔付ガイド筒の上端から案内孔中に掃除用弾性ピンを挿入し、該掃除用弾性ピンを押込棒によって上記案内孔に押し込み通過させ、さらにオリフィス内径内に押し込みかつ摩擦通過させてなるメルトインデックサー用オリフィスの掃除方法であって、上記案内孔付ガイド筒の案内孔の出口近傍をオリフィスの内径寸法より僅かに大きい出口近傍小径部とし、この出口近傍小径部に繋がる入り口側を僅かに大径の大径案内部とし、この大径案内部と出口近傍小径部との接続部をテーパー部としてあり、上記大径案内部と小径の出口近傍小径部を通すことによって先端を尖鋭にしてある掃除用弾性ピンを均一な外径としてオリフィス内径内を通過させるメルトインデックサー用オリフィスの掃除方法。
【請求項２】
上記掃除用弾性ピンが木製楊枝である上記請求項１に記載のメルトインデックサー用オリフィスの掃除方法。
【請求項３】
オリフィスを収めてある炉体の炉室に挿入する掃除用弾性ピン案内用の案内孔付ガイド筒と、この案内孔付ガイド筒の案内孔を通過し、さらにオリフィス内径内を通過する掃除用弾性ピンと、該掃除用弾性ピンを押し込む押込棒とからなり、該押込棒により掃除用弾性ピンを案内孔付ガイド筒の案内孔に押し込み通過させ、さらにオリフィス内径内に押し込み摩擦通過させるようにしたメルトインデックサー用オリフィスの掃除装置であって、上記掃除用弾性ピンは先端を尖鋭にしてあり、上記案内孔付ガイド筒の案内孔を、オリフィスの内径寸法より僅かに大きい小径の出口近傍小径部と、この小径部に繋がる入口側の僅かに大径の大径案内部としてあり、この大径案内部と出口近傍小径部との接続部をテーパー部としてあるメルトインデックサー用オリフィスの掃除装置。
【請求項４】
上記掃除用弾性ピンが木製楊枝である上記請求項３に記載のメルトインデックサー用オリフィスの掃除装置。
【発明の詳細な説明】
【０００１】
【発明の属する技術分野】
本発明は、材料の溶融試験のためのメルトインデックサー用のオリフィスの掃除、特にオリフィス内径の掃除方法及びその装置に関する。
【０００２】
【従来の技術】
メルトインデックス試験の場合、炉体（電気炉）内のオリフィスの清掃がテストデーターに影響を及ぼすことは、従来からよく知られていることである。特に、オリフィスの内径の清掃が重要である。
従来、炉体内のオリフィスの掃除は、テスト終了後に、オリフィスを炉体内より取り出し、その内径及び外径を手で掃除していた。特に、内径の掃除には、専用のドリル状の金属製掃除棒を使って人手によって行っていた。
【０００３】
【発明が解決しようとする課題】
従来のオリフィスの掃除方法では、テスト終了毎にオリフィスを炉体内から取り出して作業しなければならず、しかも、炉体内は加熱されていて熱いため、オリフィスの炉体内からの取り出しに時間を要し、効率が悪いという課題がある。
本発明は、上記課題に鑑み、オリフィスを炉体内から外に出すことなく、効率的にオリフィス内径の掃除を行うことができる新規な掃除方法と装置を提供するものである。
【０００４】
【課題を解決するための手段】
そのために、本発明メルトインデックサー用オリフィスの掃除方法は、オリフィスを収めてある炉体の炉室に掃除用弾性ピンを案内する案内孔付ガイド筒を挿入し、この案内孔付ガイド筒の上端から案内孔中に掃除用弾性ピンを挿入し、該掃除用弾性ピンを押込棒によって上記案内孔に押し込み通過させ、さらにオリフィス内径内に押し込みかつ摩擦通過させてなるものである。即ち、掃除用弾性ピンがオリフィス内径内を摩擦通過することにより、オリフィスを炉体内から外に取り出すことなく、オリフィス内径内を掃除する。
【０００５】
また、上記案内孔付ガイド筒の案内孔の出口近傍をオリフィスの内径寸法より僅かに大きい出口近傍小径部とし、この小径の出口近傍小径部を通すことによって掃除用弾性ピンを均一な外径としてオリフィス内径内を通過させるものである。即ち、掃除用弾性ピンのオリフィス内径との摩擦通過の表面接触を均一化し、オリフィス内径の清掃度の効率向上になる。
また、上記掃除用弾性ピンが木製楊枝である。即ち、市販の木製楊枝を使用して、高効率、低コストにオリフィス内径の掃除ができる。
【０００６】
次に、本発明メルトインデックサー用オリフィスの掃除装置は、オリフィスを収めてある炉体の炉室に挿入する掃除用弾性ピン案内用の案内孔付ガイド筒と、この案内孔付ガイド筒の案内孔を通過し、さらにオリフィス内径内を通過する掃除用弾性ピンと、該掃除用弾性ピンを押し込む押込棒とからなり、該押込棒により掃除用弾性ピンを案内孔付ガイド筒の案内孔に押し込み通過させ、さらにオリフィス内径内に押し込み摩擦通過させるようにしたものである。即ち、この本発明装置によって掃除用弾性ピンをオリフィス内径内を摩擦通過させて、オリフィスを炉体内から外に取り出すことなく、オリフィス内径内を掃除できる。
【０００７】
また、上記案内孔付ガイド筒の案内孔を、オリフィスの内径寸法より僅かに大きい小径の出口近傍小径部と、この小径部に繋がる入口側の僅かに大径の大径案内部としてあり、この大径案内部と出口近傍小径部との接続部をテーパー部としてある。即ち、掃除用弾性ピンのオリフィス内径との摩擦通過の表面接触を均一化し、オリフィス内径の清掃度の効率向上になる。
さらに、上記掃除用弾性ピンが木製楊枝である。即ち本発明装置に市販の木製楊枝を使用して、高効率、低コストにオリフィス内径の掃除ができる。
【０００８】
【発明の実施の形態】
発明の実施の形態を実施例に基づき図面を参照して説明する。図中符号１がメルトインデックサーの炉体であり、その炉室２の下端にオリフィス３を収めてある。図中符号５がオリフィス３の内径４を摩擦通過して掃除する掃除用弾性ピン１１を案内する案内孔付ガイド筒である。この案内孔付ガイド筒５は案内孔６を有し、この案内孔６は、オリフィス３の内径寸法より僅かに大きい小径の出口近傍小径部７と、この出口近傍小径部７に繋がる入口側の僅かに大径の大径案内部８とを有し、この大径案内部８と出口近傍小径部７との接続部９をテーパー部としてあり、同様に案内孔６の入口１０もテーパー部としてある。これによって掃除用弾性ピン１１の挿入及び案内通過を円滑に案内する。
【０００９】
上記案内孔付ガイド筒５は真鍮製であり、その出口近傍小径部７の直径寸法をオリフィス３の内径の直径寸法２．０９５ｍｍより僅かに大きい寸法２．２ｍｍにしてあり、大径案内部８の直径を３．０ｍｍにしてある。そして大径案内部８と出口近傍小径部７との接続部９及び入口１０のテーパー角を３０度としてある。また、この案内孔付ガイド筒５の全体長さを１９２ｍｍとしてあり、出口近傍小径部７の長さを７５ｍｍとしてある。さらにこの案内孔付ガイド筒５は、その上下端部を僅かに大径とし、中間部を小径にしてあり、大径の上下端直径を９．５ｍｍとし中間小径部の直径を９．０ｍｍとしてある。
【００１０】
図中符号１２が押込棒であり、後述するようにこの押込棒１２で掃除用弾性ピン１１を、案内孔付ガイド筒５の案内孔６内に押し込み通過させ、かつ、オリフィス３の内径４内に押し込み摩擦通過させるものである。この押込棒１２は直径が２．０ｍｍであり長さが２４２．０ｍｍのものを把手１３に固定させてあり、ステンレス製である。
【００１１】
掃除用弾性ピン１１は、先端を尖鋭にしてあり、弾力性のある材質のもので、好ましくは木製楊枝を使用する。
【００１２】
本発明方法により本発明装置を使用してオリフィス内径内を次のようにして掃除する。先ず、案内孔付ガイド筒５を炉体１の炉室２内に先端がオリフィス３に当たるまで挿入する。次に掃除用弾性ピン１１である木製楊枝１本をその尖鋭な先端から案内孔付ガイド筒５の入口１０に挿入する。この木製楊枝はだいたいが直径２．２ｍｍより僅かに大きいから出口近傍小径部７に当たって止まる。そこで押込棒１２を案内孔６内にゆっくり挿入し、先端が木製楊枝に突き当たるから、押込棒１２をゆっくりと押し込み作業する。この作業は手動であっても自動機によって自動的に行ってもよい。
【００１３】
上記のようにして押し込まれた木製楊枝は、直径２．２ｍｍの出口近傍小径部７によって均一な外径に整えられてさらに小径のオリフィス内径４内に押し込まれ、摩擦通過する。このことによって木製楊枝である掃除用弾性ピン１１とオリフィス内径４との表面接触が均一となり、オリフィス内径の清掃度が向上する。さらに木製楊枝を圧縮させないでそのままオリフィス内径４に挿入すると、内径入口に木製楊枝の切かすが残ってしまうことがあるが、上記の通り出口近傍小径部７を通過させ圧縮させることにより、オリフィス内径４の入口に切かすが残ることを最小限に食い止めることができる。
【００１４】
【発明の効果】
本発明メルトインデックサー用オリフィスの掃除方法は、オリフィスを収めてある炉体の炉室に掃除用弾性ピンを案内する案内孔付ガイド筒を挿入し、この案内孔付ガイド筒の上端から案内孔中に掃除用弾性ピンを挿入し、該掃除用弾性ピンを押込棒によって上記案内孔に押し込み通過させ、さらにオリフィス内径内に押し込みかつ摩擦通過させてなるものであるから、掃除用弾性ピンがオリフィス内径内を摩擦通過することにより、オリフィスを炉体内から外に取り出すことなく、オリフィス内径内を掃除することができる。
【００１５】
また、上記案内孔付ガイド筒の案内孔の出口近傍をオリフィスの内径寸法より僅かに大きい出口近傍小径部とし、この小径の出口近傍小径部を通すことによって掃除用弾性ピンを均一な外径としてオリフィス内径内を通過させるものであるから、掃除用弾性ピンのオリフィス内径との摩擦通過の表面接触を均一化し、オリフィス内径の清掃度の効率向上になる。
また、上記掃除用弾性ピンが木製楊枝であるから、市販の木製楊枝を使用して高効率、低コストにオリフィス内径の掃除ができる。
【００１６】
次に、本発明メルトインデックサー用オリフィスの掃除装置は、オリフィスを収めてある炉体の炉室に挿入する掃除用弾性ピン案内用の案内孔付ガイド筒と、この案内孔付ガイド筒の案内孔を通過し、さらにオリフィス内径内を通過する掃除用弾性ピンと、該掃除用弾性ピンを押し込む押込棒とからなり、該押込棒により掃除用弾性ピンを案内孔付ガイド筒の案内孔に押し込み通過させ、さらにオリフィス内径内に押し込み摩擦通過させるようにしたものであるから、掃除用弾性ピンをオリフィス内径内で摩擦通過させて、オリフィスを炉体内から外に取り出すことなく、オリフィス内径内を掃除できる。
【００１７】
また、上記案内孔付ガイド筒の案内孔を、オリフィスの内径寸法より僅かに大きい小径の出口近傍小径部と、この小径部に繋がる入口側の僅かに大径の大径案内部としてあり、この大径案内部と出口近傍小径部との接続部をテーパー部としてあるから、掃除用弾性ピンのオリフィス内径との摩擦通過の表面接触を均一化し、オリフィス内径の清掃度の効率向上になる。
さらに、上記掃除用弾性ピンが木製楊枝であるから、市販の木製楊枝を使用して、高効率、低コストにオリフィス内径の掃除ができる。
【図面の簡単な説明】
【図１】本発明装置の作動状態を示す一部切欠断面図。
【図２】本発明装置を分解して示す一部切欠断面図。
【符号の説明】
１  炉体
２  炉室
３  オリフィス
４  内径
５  案内孔付ガイド筒
６  案内孔
７  出口近傍小径部
８  大径案内部
９  接続部
１０  入口
１１  掃除用弾性ピン
１２  押込棒
【図１】
0004022056.tif 000002
【図２】
0004022056.tif 000003